(57)【要約】【課題】  既存のソファの底面に取付け可能なフットレストは存在しなかった。ソファの底面に格納できるフットレスト付きソファも存在しなかった。【解決手段】  本発明のフットレストはソファの底面に取付けるレールと、レールに沿って往復スライドするスライダーと、スライダーに取付けられたアームと、そのアームを所定高に支持するリンク機構と、そのリンク機構と前記アームに取付けられた足のせ台を設けてなる。足のせ台をソファの前方に引き出して足のせ台をリンク機構により所定高に支持し、その足のせ台に足を載せることができるようにした。所定高に支持された足のせ台の支持を解除し、その状態で足のせ台を押し下げるとリンク機構及びアームが降下し、その足のせ台をソファ側へ押すと足のせ台がソファの底面に押し込まれて格納されるようにした。本発明のフットレスト付ソファは、前記フットレストを既存のソファの底面に取り付けてなる。【選択図】図１
2007029378.tif 000002
【特許請求の範囲】
【請求項１】
ソファの底面に取付ける細長のレールと、そのレールに沿ってソファの前後方向に往復スライドするスライダーと、そのスライダーに取付けられてスライダーと共にスライドするアームと、そのアームを所定高に支持するリンク機構と、そのリンク機構と前記アームに取付けられた足のせ台を備え、足のせ台をソファの前方へ引くとスライダーが前方移動して足のせ台がソファの前方に引き出され、その足のせ台を持ち上げると前記アームが持ち上げられ、それに伴って前記リンク機構が回動してアームを持ち上げ位置に支持し、このアームにより足のせ台が所定高に支持され、所定高に支持された足のせ台を持ち上げて足のせ台をソファ側へ傾けるとリンク機構が前記回動と逆方向に回動してアームの支持が解除され、足のせ台を押し下げるとアーム及び足のせ台が降下し、その足のせ台をソファ側へ押すとスライダーがレールに沿って後方移動して足のせ台がソファの下方へ押し込まれて格納されることを特徴とするフットレスト。
【請求項２】
請求項１記載のフットレストが、ソファの底面に取付けられて、足のせ台をソファの下から引き出して使用でき、ソファの下に押し込んで格納できるようにしたことを特徴とするフットレスト付ソファ。
【発明の詳細な説明】
【技術分野】
【０００１】
本発明は、既存のソファの底に取付け可能であって、足のせ台をソファの下から引き出して使用し、ソファの下に押し込んで格納することが可能なフットレストと、そのフットレストが取付けられたフットレスト付ソファに関するものである。
【背景技術】
【０００２】
足を載せるためのフットレストを備える椅子やソファは従来から各種存在する。本件出願人も先にフットレスト付ソファを開発し特許出願している（特許文献１参照。）。本件出願人が開発したフットレスト付ソファは、ソファの前面側下部の飾り板を足のせ台とし、それを前方に引き出して足をのせられるようにし、不使用時にはソファの前面下部に収納することができるようにしたものである。本件出願人の前記フットレスト付ソファは、椅子の前にオットマンを置かなくとも、足のせ台を引き出して足を伸ばすことができ、不使用時には足のせ台を収納できるので手軽に使用でき、また、不使用時には場所をとらず、邪魔にならないという利点がある。（特許文献１参照）。
【０００３】
【特許文献１】実用新案登録第３０９７４１３号公報。
【発明の開示】
【発明が解決しようとする課題】
【０００４】
本件出願人の前記足のせ台は、既存のソファに取付けることはできないため、足のせ台を備えていない既存のソファの場合は、従前どおり、オットマンやそれに代わるものをソファの前に置かなければならなかった。
【課題を解決するための手段】
【０００５】
本発明のフットレストは、既存のソファに取付け可能であって、足のせ台不使用時にはソファの座の下に押し込んで格納しておき、足のせ台使用時には足のせ台をソファの座の下から引き出して使用できるようにしたものである。本発明のフットレスト付ソファはソファの下に前記足のせ台を取り付けたものである。
【０００６】
本発明のフットレストは、ソファの底面に取付ける細長のレールと、そのレールに沿ってソファの前後方向に往復スライドするスライダーと、そのスライダーに取付けられてスライダーと共にスライドするアームと、そのアームを所定高に支持するリンク機構と、そのリンク機構と前記アームに取付けられた足のせ台を備え、足のせ台をソファの前方へ引くとスライダーが前方移動して足のせ台がソファの前方に引き出され、その足のせ台を持ち上げると前記アームが持ち上げられ、それに伴って前記リンク機構が回動してアームを持ち上げ位置に支持し、このアームにより足のせ台が所定高に支持され、所定高に支持された足のせ台を持ち上げて足のせ台をソファ側へ傾けるとリンク機構が前記回動と逆方向に回動してアームの支持が解除され、足のせ台を押し下げるとアーム及び足のせ台が降下し、その足のせ台をソファ側へ押すとスライダーがレールに沿って後方移動して足のせ台がソファの下方へ押し込まれて格納されるものである。
【０００７】
本発明のフットレスト付ソファは、前記フットレストがソファの底面に取付けられて、足のせ台をソファの下から引き出して使用でき、ソファの下に押し込んで格納できるようにしたものである。
【発明の効果】
【０００８】
本件出願のフットレストは前記構成であるため、次のような効果がある。
（１）レールと、スライダーと、アームと、リンク機構と、足のせ台が一つになっているため、レールをソファの底に取り付けるだけで、フットレストを備えていない既存のソファを、手軽に、フットレスト付ソファにすることができる。
（２）ソファの底に取り付けるため、既存のソファを改造することなく、そのまま取り付け可能であるため、取付けが容易である。
（３）目に付きにくいソファの底に取り付けるため、ソファの体裁（デザイン）が損なわれることがない。取り付け後に手軽に取り外すこともできるため、取り付けることに抵抗感がなく普及し易い。
（４）使用時に足のせ台をソファの下から引き出し、不使用時には足のせ台をソファの下に格納することができるので、不使用時にも場所をとらず、邪魔にならない。
（５）足のせ台を引き出して持ち上げるだけで足のせ台を所定の高さに支持できるので、使用時の操作が容易である。足のせ台を下げて押し込むだけでソファの下に押し込むだけで格納できるので不使用時の操作も容易である。
（６）リンク機構で足のせ台を所定の高さに支持できるため足のせ台が安定する。
【０００９】
本件出願のフットレスト付ソファは、前記フットレストをソファの底面に取付けてあるため、前記効果に加えて次のような効果もある。
（１）ソファの前にオットマンやそれに代わるものを置かなくとも足を伸ばすことができるため、狭い場所でも使用できる。
（２）足のせ台がソファの下に常備されているため、必要時に何時でも使用可能であり、便利である。
【発明を実施するための最良の形態】
【００１０】
（フットレスト及びフットレスト付きソファの実施形態）
本発明のフットレスト１は図３に示すレール３と、スライダー４と、アーム５と、リンク機構６と、足のせ台７が、図１、図２に示すように一つに纏めて組み立てられている。このフットレスト１は図１のようにレール３の前方の取付けブラケット１０ａをソファ２の底面の前台輪８ａに、後方の取付けブラケット１０ｂを後台輪８ｂに取付けることによりソファ２の底面に固定し、使用時には足のせ台７を図１のようにソファ２の底面から前方に引き出してから上方に持ち上げて所定高に位置決めし、その上に足を載せることができ、不使用時には足のせ台７を図２のようにソファ２の底面の下に押し込んで格納できるようにしてある。そのため、前記レール３、スライダー４、アーム５、リンク機構６、足のせ台７の構成、作用等は以下のようにしてある。
【００１１】
前記レール３には金属製の丸パイプ（図３）が使用されており、図１のように２本のＬ字状の鋼材製の固定ブラケット１１の間に平行に配置固定されている。固定ブラケット１１は図１のようにソファ２の前台輪８ａと後台輪８ｂの内面にビス１３で取付けられるＬ字状の鋼材製の取付けブラケット１０ａ、１０ｂに重ね合わせてボルト、ナット等の固定具１４で取付けることができるようにしてある。
【００１２】
前記スライダー４は金属製の円筒１９に連結板２０が溶接で固定され、連結板２０にフットマウント１８がボルト及びナットで固定されている。２枚のフットマウント１８はその間に配置された金属製のクロスバー２２（図３）をフットマウント１８に溶接することにより図１、図２のように連結され、また、２枚のフットマウント１８を貫通してその外側まで突出させた金属製のクロスチューブ２３（図３）をフットマウント１８に溶接することによっても図１、図２のように連結されている。円筒１９の両端には図３のように樹脂製のブッシュ２１が差込まれて固定されており、そのブッシュ２１の内側に前記２本のレール３が差込まれて、円筒１９が前記２本のレール３に沿って往復スライドできるようにしてある。
【００１３】
前記アーム５は図２に示すように、スライダー４を最後方までスライドさせると、それに伴ってソファ２の下方に格納され、図１に示すようにスライダー４を最前方までスライドさせると、それに伴ってソファ２の前方に引き出され、上方へ回動できるようにしてある。このアーム５は２枚の細長の板材（図３）であり、それら板材は軸方向後端と先端が上向きになっており、後端が先端よりも急角度で上向きになっている。２枚のアーム５はカーブの部分がその間に配置したクロスバー２５（図３）により連結され、それより後端部がフットマウント１８の外側に宛がわれ、連結軸２４（図３）により回動できるようにフットマウント１８に連結されている。この場合、フットマウント１８を貫通している前記クロスチューブ２３に連結軸２４を回動可能に差し込んで貫通させ、クロスチューブ２３の両端から突出した連結軸２４の両端にアーム５の後端側を固定することにより、アーム５の後端側を連結軸２４と共に回動できるようにしてある。アーム５の下部には、図５〜７に示すように、床に傷を付けるのを防ぐために、フェルト等の防護材５２を貼り付けておくこともできる。防護材５２の素材は、フェルトには限られず、ゴムやウレタン等、床に傷を付けるのを防ぐことが可能であれば、任意の素材を用いることができる。また、防護材５２の形状も、図に示す形状には限られず、アーム５の下部全体を覆う形状とする等、任意の形状とすることができる。
【００１４】
アーム５の先端部は、足のせ台７の裏面に、足のせ台７の前後方向にスライド可能に取付けられている。図１、図２に示すように、アーム５の先端内側にロッドガイド２９が取付けられ、そのロッドガイド２９の外周面に開口されているロッド挿通孔４１にロッド３０を貫通し、そのロッド３０を端部ブラケット３１により足のせ台７の裏面に固定することにより、ロッドガイド２９がロッド３０に沿って前後にスライドできるようにしてある。端部ブラケット３１はＬ字形であり、夫々の端部ブラケット３１のうち足のせ台７の底面から下方に突出している突出部３１ａ（図６）が、ロッド３０の両端部を固定し、前後の突出部３１ａ間でロッドガイド２９をスライドさせられるようにしてある。この突出部３１ａは、スライドするロッドガイド２９のストッパーの役割を果たすようにすることもできる。本実施形態では、図４に示すように、後端側の端部ブラケット３１の突出部３１ａのロッドガイド２９が接触する面にゴム製等のクッション材５１を貼り付けて、ロッドガイド２９と端部ブラケット３１との接触による衝撃を軽減できるようにしてある。また、このとき、前端側の端部ブラケット３１の突出部３１ａにはロッドガイド２９が接触しないようにして、突出部３１ａとロッドガイド２９の間に緩衝空間が形成されるようにしてある。もっとも、前端側の端部ブラケット３１の突出部３１ａにもクッション材５１を貼り付けて、ロッドガイド２９を接触させられるようにすることもできる。
【００１５】
前記リンク機構６はソファの前に引き出した足のせ台７を所定高に支持したり、その支持を解除して足のせ台７を降下させることができるようにするものであり、左右２枚のサブアーム２６、左右２枚のセンターリンク２７、左右２枚のブラケット２８を備えている。
【００１６】
リンク機構６を構成する図３のサブアーム２６は軸方向中央部がく字状に曲がっている細長板であり、その一端がクロスチューブ３４（図３、図４）の両端に溶接により固定され、クロスチューブ３４が２枚のフットマウント１８の先端部内面の間に配置され、一方のフットマウント１８の外側から差込まれて前記クロスチューブ３４及び他方のフットマウント１８の外側まで貫通したクロスシャフト３５によってフットマウント１８に回動可能に取り付けられている。クロスシャフト３５はフットマウント１８にカシメにより固定されている。
【００１７】
リンク機構６を構成する図３のセンターリンク２７は板材であって、足のせ台７の左右方向に一枚ずつ配置されている。センターリンク２７の上端部は図１のように足のせ台７の後端部裏面に取付けられたコ字状のフットパネル取付け板３３にボルト４８とナット４９によって回動自在に取付けられ、下端部にパイプ状のクロスチューブ３６が貫通されて溶接により固定されている。センターリンク２７の先端部は、図４に示すように、ビス４７によって前記ブラケット２８と回動可能に連結してある。クロスチューブ３６のうち２枚のセンターリンク２７の両外側に突出した両端は前記サブアーム２６の先端部に宛がわれ、サブアーム２６の一端外側からクロスチューブ３６内に差込まれてクロスチューブ３６内を貫通して他方のクロスチューブ３６の外側に突出した棒状のクロスシャフト３７によりサブアーム２６の先端部に回動可能に連結することにより、左右のセンターリンク２７同士を連結固定し、左右のセンターリンク２７が同期回動できるようにしてある。クロスシャフト３７の両端はサブアーム２６に溶接により固定されている。センターリンク２７には図３に示すようにバネ取付け突起３８が内側に突出して設けられている。
【００１８】
リンク機構６を構成する図３の２枚のブラケット２８は板状であって、足のせ台７の左右方向に一枚ずつ配置されている。夫々のブラケット２８の後端部は前記センターリンク２７の先端部とビス４７により回動可能に連結されており、中央部底面にクロスチューブ３９が固定されている。クロスチューブ３９の両端は左右のアーム５へ固定されており、この固定によりアーム５とブラケット２８とが同期して回動するようにしてある。ブラケット２８の先端は図３に示すように前記ロッドガイド２９の内側に宛がわれ、バネ取付け突起４０の根元側でロッドガイド２９に固定されている。
【００１９】
前記バネ取付け突起４０の内側端部と、図３に示すバネ取付け突起３８の内側端部の間にはバネ３２が取付けられている。バネ３２は図１のように足のせ台７が降下してソファ２の下に格納されているときは伸び、図２のようにソファ２の前方に引き出して上方に持ち上げたときは縮むようにしてある。詳しくは、バネ３２は図５、図６のように足のせ台７の持ち上げ時と降下時で二つのバネ取付け突起間３８、４０（図５、図６）の距離が変化し、その変化に伴ってバネ３２が前記持ち上げ時には縮み、降下時には伸びるようにしてある。本実施形態ではバネ３２は図３、図４に示すように足のせ台７の幅方向左右に一本ずつ設けられているが、バネ３２はいずれか一本のみでもよく、また、一本の場合は、バネ取付け突起３８、４０を一本にして、その中間に配置するようにすることもできる。
【００２０】
足のせ台７はソファ２に腰掛けた使用者が足を伸ばして載せることができる台であり、図６のように前記したコ字形のフットパネル取付け板３３と端部ブラケット３１の上に載せて、それらにビス等の固定具５０によって固定することによりアーム５、リンク機構６へ固定されている。
【００２１】
足のせ台７は図５〜図７に示すようにフットパネル４２、ストッパー４３、クッション材４４、カバー４５を備えてなる。フットパネル４２は足のせ台７の基台となる板状であり、金属製、木製、樹脂製等、任意の材質製とすることができる。フットパネル４２の底面前方部分には図９に示すように手掛け凹陥部４６が形成されており、この手掛け凹陥部４６に手を掛けて足のせ台７を前方に引き出したり、押し込んだりすることができるようにしてある。フットパネル４２の底面には図４〜図７に示すようにゴム製、樹脂製といった弾性材製のストッパー４３が取り付けられている。このストッパー４３は、足のせ台７を降下させたときに、アーム５の上面をストッパー４３に当てて足のせ台７を水平に保持するためのものである。また、ストッパー４３によって、アーム５の上面が強く当たってもその衝撃が緩衝されるようにもなる。
【００２２】
前記カバー４５は、フットパネル４２上に配置したクッション材４４を被覆する被覆材であって、図５〜図７に示すように、フットパネル４２上のクッション材４４を被覆し、周縁部をフットパネル４２の裏側に固定したものである。カバー４５には、布、皮革、ビニール等、クッション材４４を被覆可能なものであれば、任意の素材製のものを使用することができる。
【００２３】
フットレスト１は、図８、図９に示すように、ソファ２の底面に備えられて、本発明のフットレスト付ソファを形成することができる。このとき、フットレスト１は、図８、図９に示すように、レール３の前方の取付けブラケット１０ａをソファ２の前台輪８ａに、レール３の後方の取付けブラケット１０ｂをソファ２の後台輪８ｂに、夫々ビス１３で固定して、レール３をソファ２の前後方向に向けて備えて、ソファ２に備えられている。ソファ２の底面に取り付けられたフットレスト１は、図８に示すように、アーム５を、床面から少なくとも２０ｍｍ以上離した状態で、レール３に備えられたスライダー４に取り付けて、ソファ２の下方に備えている。また、リンク機構６及び足のせ台７も、ソファ２の下方に格納できるようにしてある。
【００２４】
（本発明のフットレスト及びフットレスト付きソファの使用例）
本発明のフットレストは図１のようにレール３の前方の取付けブラケット１０ａを既存のソファ２の底面の前台輪８ａに、前方の取付けブラケット１０ｂを後台輪８ｂに取付けることによりソファ２の底面に固定する。このフットレストを使用するには次のようにする。
【００２５】
足のせ台をソファの底から前面に引き出して足を載せられるようにするには次のようにする。
（１）図８に示すようにソファ２の底面下方に格納されている足のせ台７の手掛け凹陥部４６に手を掛けて、足のせ台７をソファ２の前方へ引いてスライダー４をレール３に沿って前方移動させる。それに伴ってアーム５、リンク機構６、足のせ台７も前方に移動して足のせ台７がソファ２の前方へ引き出される（図５）。
（２）引き出した足のせ台７を図９の矢印Ａ方向に持ち上げる。このとき、アーム５、リンク機構６の動作は次のようになる。
（ａ）前記持ち上げにより、アーム５とリンク機構６も、足のせ台７の持ち上げに伴って上方へ回動して持ち上げられる。
（ｂ）ロッドガイド２９はアーム５の先端部とブラケット２８の先端部との連結部（以下「連結部Ｘ」とする。）を軸として回動しながらロッド３０に沿って後方移動し、ロッド３０の後端において端部ブラケット３１の突出部３１ａに取り付けられたクッション材５１に突き当たる。ロッドガイド２９に備えられるバネ３２はバネ力によってロッドガイド２９の後方移動を補助しながら収縮する。
（ｃ）センターリンク２７はバネ３２の収縮にあわせてブラケット２８との連結部（以下「連結部Ｙ」とする。）を軸にして前方（図５の矢印Ｂ方向）へ回動する。
（ｄ）フットパネル取付板３３はセンターリンク２７との連結部（以下「連結部Ｗ」とする。）を軸にして回動し、足のせ台７の上面を上方に向けたまま持ち上げられるようにする。
（ｅ）サブアーム２６は、足のせ台７の持ち上げに伴って上方へ回動し、センターリンク２７との連結部（以下「連結部Ｚ」とする。）が、前記連結部Ｙより後方に位置したところで係止される。
（ｆ）アーム５及びリンク機構６が所定の高さまで持ち上がり、ロッドガイド２９がロッド３０の後端部において端部ブラケット３１の突出部３１ａに取り付けられたクッション材５１に突き当たり、サブアーム２６の回動が係止されると、図６、図９に示すように、足のせ台７がその位置で支持されて、ソファ２に腰掛けた使用者は足を伸ばして足のせ台７の上に載せることができるようになる。
【００２６】
足のせ台７をソファの下に格納するには次のようにする。
（１）図７に示すように、足のせ台７の先端を持ち上げて、足のせ台７をソファ２側（図７の矢印Ｃ方向）へ傾ける。このとき、アーム５、リンク機構６の動作は次のようになる。
（ａ）ロッドガイド２９は連結部Ｘを軸にして回動しながらロッド３０に沿って前方移動する。ロッドガイド２９に備えられるバネ３２は、ロッドガイド２９の前方移動に伴って伸び始める。
（ｂ）足のせ台７の動作に伴ってフットパネル取付け板３３もソファ側へ傾けられ、連結部Ｗで連結しているセンターリンク２７を回動させる。
（ｃ）センターリンク２７はフットパネル取付け板３３の動作に伴って、連結部Ｙを回転軸として後方（図７の矢印Ｆ方向）へ回動する。
（ｄ）サブアーム２６はセンターリンク２７の動作に伴って前方へ回動する（図７の矢印Ｄ方向）。
（ｅ）センターリンク２７及びサブアーム２６を回動させると、図７に示すように連結部Ｘ、Ｙ、Ｚが一直線上に並ぶ。更に回動させて（図７の矢印Ｇ方向）、連結部Ｚを連結部Ｙより前方に位置させると、アーム５及びリンク機構６による足のせ台７の支持が解除されて、足のせ台７を図７の矢印Ｅ方向に回動させることができるようになる。
（２）図７に示すようにアーム５、リンク機構６による支持が解除された足のせ台７をそのまま下方（図７の矢印Ｈ方向）へ押し下げ、足のせ台７を持ち上げる前の位置へ降下させる。このとき、アーム５とリンク機構６の動作は次のようになる。
（ａ）アーム５とリンク機構６も足のせ台７の降下に伴って下方へ回動して、足のせ台７が持ち上げる前の位置へ降下される。このとき、アーム５の上部にストッパー４３が突き当たり、ストッパー４３によって足のせ台７が水平に保持される。
（ｂ）ロッドガイド２９はロッド３０に沿って更に前方移動し、足のせ台７を持ち上げる前の位置へ戻される。ロッドガイド２９に備えられるバネ３２も伸ばされて足のせ台７を持ち上げる前の状態に戻される。
（ｃ）センターリンク２７も連結部Ｙを軸にして更に後方へ回動し、足のせ台７を持ち上げる前の位置へ戻される。
（ｄ）サブアーム２６及びフットパネル取付板３３も夫々連結部Ｚ、Ｗを軸にして回動されて、足のせ台７を持ち上げる前の位置へ戻される。このため、足のせ台７は元の高さ（図５の位置）まで降下し、アーム５、リンク機構６は足のせ台７を持ち上げる前の状態に戻される（折り畳まれる）。
（３）前記降下した足のせ台７をソファ２側へ押す。このとき、スライダー４がレール３に沿って後方移動し、それに伴って、アーム５、リンク機構６、足のせ台７も後方に移動して、足のせ台７がソファ２の底面の下へ押し込まれて図８のように格納される。
【００２７】
（その他の実施形態）
前記実施形態では、フットレストはレール３を二本備え、スライダー４やアーム５やリンク機構６の各部品等も、二本のレール３に応じて備えられているが、レールの数は、二本に限らず、ソファの大きさ等に応じて、一本や三本以上等、任意の本数とすることができる。その場合、スライダーやアームやリンク機構の各部品も、設けたレールの本数に応じて数量を変化させる。従って、例えば、二人がけ用のソファ等にも、本発明のフットレストを取り付けることができるようになる。
【００２８】
本発明のフットレスト及びフットレスト付ソファは、前記実施形態に記載した構成のものには限られず、フットレストをソファの底面に取り付けて、足のせ台をソファの下から引き出して使用でき、ソファの下に押し込んで格納できるものであれば、任意の構成とすることができ、レール、スライダー、アーム、リンク機構、足のせ台の各部材も、図１〜図９に示すものに限定されず、任意の構成のものとすることができる。
【産業上の利用可能性】
【００２９】
本発明のフットレストは、ソファ用のものには限られず、ダイニングチェアー、カウンタースツール、長椅子等、各種椅子用の、脱着自在で、且つ座部の下から足のせ台を引き出して使用でき、座部の下に押し込んで格納できるフットレストとして応用することもできる。その場合、本発明のフットレスト付ソファも、各種のフットレス付椅子として応用することができる。
【図面の簡単な説明】
【００３０】
【図１】本発明のフットレスト及びフットレスト付ソファの足のせ台を、ソファの前面に引き出して足のせ台を使用可能とした状態の一例を示す斜視説明図。
【図２】本発明のフットレスト及びフットレスト付ソファの足のせ台をソファの底面の下に格納した状態の一例を示す斜視説明図。
【図３】本発明のフットレストの足のせ台を除く各部品の分解斜視図。
【図４】本発明のフットレストの一部を省略した平面説明図。
【図５】本発明のフットレスト及びフットレスト付ソファの足のせ台をソファ前方に引き出した状態を示す断面説明図。
【図６】本発明のフットレスト及びフットレスト付ソファの足のせ台を使用可能とした状態を示す断面説明図。
【図７】本発明のフットレスト及びフットレスト付ソファの足のせ台をソファ側へ傾けた状態を示す断面説明図。
【図８】本発明のフットレスト及びフットレスト付ソファの足のせ台をソファ前方に引き出した状態を示す側面説明図。
【図９】本発明のフットレスト及びフットレスト付ソファの足のせ台を使用可能とした状態を示す側面説明図。
【符号の説明】
【００３１】
１  フットレスト
２  ソファ
３  レール
４  スライダー
５  アーム
６  リンク機構
７  足のせ台
【図１】
2007029378.tif 000003
【図２】
2007029378.tif 000004
【図３】
2007029378.tif 000005
【図４】
2007029378.tif 000006
【図５】
2007029378.tif 000007
【図６】
2007029378.tif 000008
【図７】
2007029378.tif 000009
【図８】
2007029378.tif 000010
【図９】
2007029378.tif 000011